(57)【特許請求の範囲】
【請求項１】
屋根板の立ちハゼ継ぎ部の側面を両側から挟んで回転することにより立ちハゼ継ぎ部に対して切断機本体１を前進させる左右一対の駆動ローラ３ａ，３ｂのそれぞれの回転軸５ａ，５ｂに互いに噛合して同期回転する歯車６ａ，６ｂを取り付け、同じく屋根板の立ちハゼ継ぎ部の側面を両側から挟んで切断機本体１の前進時に回転しながら立ちハゼ継ぎ部を切断する左右一対のカッター４ａ，４ｂのそれぞれの回転軸７ａ，７ｂに互いに噛合して同期回転する歯車８ａ，８ｂを取り付け、その左側に位置する駆動ローラ３ａの回転軸５ａとカッター４ａの回転軸７ａを同一の支持部材９ａに取り付け、又、右側に位置する駆動ローラ３ｂの回転軸５ｂとカッター４ｂの回転軸７ｂも同一の支持部材９ｂに取り付けて、その左右の支持部材９ａ，９ｂを互いに開閉自在となし、その左右いずれか一方の支持部材に取り付けた２つの歯車に駆動歯車１０を噛合させ、又、左右の支持部材９ａ，９ｂを開いた状態で他方の支持部材に取り付けた２つの歯車の回転を停止させる押止部材１６を設けたことを特徴とする屋根板の立ちハゼ継ぎ部の切断機。
【発明の詳細な説明】
【０００１】
【発明の属する技術分野】
本発明は、金属製屋根板を接続する箇所に形成された立ちハゼ継ぎ部を切断するために用いる屋根板の立ちハゼ継ぎ部切断機に関する。
【０００２】
【従来の技術】
古い屋根板を新しい屋根板に葺き替える場合、古い屋根板を取り除く必要があるが、そのとき古い屋根板の立ちハゼ継ぎ部を切断しなければならない。
【０００３】
屋根板の立ちハゼ継ぎ部を切断する従来の切断機として、屋根板における立ちハゼ継ぎ部の側面を両側から挟んで回転することにより立ちハゼ継ぎ部に対し切断機本体を前進させる左右一対の駆動ローラと、同じく立ちハゼ継ぎ部の側面を両側から挟んで切断機本体の前進時に回転しながら立ちハゼ継ぎ部を切断する左右一対のカッターを具えたものが存在する。
【０００４】
ところで、上記従来例の切断機は、左右の駆動ローラ及び左右のカッターを開閉自在としている。そして、それぞれの回転軸には同期回転するための歯車を取り付けていて、左右の駆動ローラ及びカッターを閉じたときに左右の歯車が互いに噛合し、左右の駆動ローラ及びカッターを開いたときに左右の歯車が互いに分離するようになっている。しかしながら、左右の歯車が分離したときに、片側の歯車がフリーになって空回りすることがあり、それにより歯の位置がずれて、再び閉じたときに左右の歯車がうまく噛み合わず、歯の位置を調整しなければならぬという面倒があった。
【０００５】
【発明が解決しようとする課題】
本発明は、左右の駆動ローラ及びカッターを開いてそれらの回転軸に取り付けた歯車を分離した状態において、その歯車の空回りを防止することができて、左右の駆動ローラ及びカッターを閉じたときにそれらの歯車をスムースに噛合させることができる屋根板の立ちハゼ継ぎ部切断機の提供を課題とする。
【０００６】
【課題を解決するための手段】
上記課題を解決するために、本発明の屋根板の立ちハゼ継ぎ部の切断機は、屋根板の立ちハゼ継ぎ部の側面を両側から挟んで回転することにより立ちハゼ継ぎ部に対して切断機本体１を前進させる左右一対の駆動ローラ３ａ，３ｂのそれぞれの回転軸５ａ，５ｂに互いに噛合して同期回転する歯車６ａ，６ｂを取り付け、同じく屋根板の立ちハゼ継ぎ部の側面を両側から挟んで切断機本体１の前進時に回転しながら立ちハゼ継ぎ部を切断する左右一対のカッター４ａ，４ｂのそれぞれの回転軸７ａ，７ｂに互いに噛合して同期回転する歯車８ａ，８ｂを取り付け、その左側に位置する駆動ローラ３ａの回転軸５ａとカッター４ａの回転軸７ａを同一の支持部材９ａに取り付け、又、右側に位置する駆動ローラ３ｂの回転軸５ｂとカッター４ｂの回転軸７ｂも同一の支持部材９ｂに取り付けて、その左右の支持部材９ａ，９ｂを互いに開閉自在となし、その左右いずれか一方の支持部材に取り付けた２つの歯車に駆動歯車１０を噛合させ、又、左右の支持部材９ａ，９ｂを開いた状態で他方の支持部材に取り付けた２つの歯車の回転を停止させる押止部材１６を設けたことを特徴とする、という構成を採るものである。
【０００７】
【発明の実施の形態】
以下、図を用いて本発明の実施の形態について説明する。まず、図１乃至図３において、符号１が切断機本体を示している。この切断機本体１は底面の四隅にキャスタ２ａ，２ｂ，２ｃ，２ｄを取り付けていて移動可能である。なお、切断機本体１には電源へ接続するコード１８を取り付けている。
【０００８】
切断機本体１の底面における前部には、左右一対の駆動ローラ３ａ，３ｂを取り付けている。なお、ここで「左右」とは正面から見た方向をいうものとする。この左右一対の駆動ローラ３ａ，３ｂは、水平方向に回転可能で、図６に示すように、屋根板２０ａ，２０ｂの立ちハゼ継ぎ部２１の側面を両側から挟み付ける。この駆動ローラ３ａ，３ｂは歯形状を呈して、外周面が凹凸状になっている。したがって、駆動ローラ３ａ，３ｂは回転したときに立ちハゼ継ぎ部２１の側面に対して滑らず、回転することによって立ちハゼ継ぎ部２１に対し前方へ移動していく。すなわち、この駆動ローラ３ａ，３ｂが回転することにより切断機本体１は上記のキャスタ２ａ，２ｂ，２ｃ，２ｄによって前進することになる。
【０００９】
図４及び図５に示すように、左右の駆動ローラ３ａ，３ｂのそれぞれの回転軸５ａ，５ｂには、互いに噛合して同期回転する一対の歯車６ａ，６ｂを取り付けている。なお、図４及び図５では左右の駆動ローラ３ａ，３ｂの図を省略している。
【００１０】
また、切断機本体１の同じく底面には、図１に示すように、上記の駆動ローラ３ａ，３ｂの後方に、同じく左右一対のカッター４ａ，４ｂを取り付けている。なお、図１において、左側のカッター４ａは右側のカッター４ｂの陰に隠れている。この左右一対のカッター４ａ，４ｂは上記の左右一対の駆動ローラ３ａ，３ｂと同様に、立ちハゼ継ぎ部２１の側面を両側から挟んで、水平方向に回転しながら前進してその立ちハゼ継ぎ部２１を切断していく。
【００１１】
図４及び図５に示すように、左右のカッター４ａ，４ｂのそれぞれの回転軸７ａ，７ｂにも、互いに噛合して同期回転する一対の歯車８ａ，８ｂを取り付けている。なお、図４及び図５では左右のカッター４ａ，４ｂの図を省略している。
【００１２】
図１乃至図３に示すように、切断機本体１の前部には操作レバー１２を取り付けている。この操作レバー１２には、図４及び図５に示すように、リンク機構１３を介して左右一対の支持部材９ａ，９ｂを互いに開閉自在に連結している。なお、図示した機構は、一方の支持部材９ｂが固定され、他方の支持部材９ａが軸１４を中心として回転することにより左右の支持部材９ａ，９ｂが開閉するようになっている。
【００１３】
そして、左側に位置する駆動ローラ３ａの回転軸５ａとカッター４ａの回転軸７ａは左側の支持部材９ａに取り付け、右側に位置する駆動ローラ３ｂの回転軸５ｂとカッター４ｂの回転軸７ｂは右側の支持部材９ｂに取り付けている。
【００１４】
左右いずれか一方の支持部材（図示したものでは右側の支持部材９ｂになっているが、左側の支持部材９ａでも構わない）に支持された２本の回転軸５ｂ，７ｂにそれぞれ取り付けた歯車６ｂ，８ｂには駆動歯車１０を常に噛合させている。その駆動歯車１０の回転軸１１には切断機本体１に内蔵したモータ（図示せず）の回転を変速機構を介して伝達している。また、この支持部材９ｂには反対側のもう一方の支持部材９ａへ向かって押し棒１５を突設している。
【００１５】
反対側のもう一方の支持部材９ａには押止部材１６を取り付けている。この押止部材１６は、図４に示すように、左右の支持部材９ａ，９ｂを開いて、それらに支持された回転軸５ａ，５ｂ，７ａ，７ｂに取り付けた歯車６ａ，６ｂ，８ａ，８ｂを左右へ分離したときに、バネ１７の力で歯車６ａ，８ａに圧接することにより、その歯車６ａ，８ａの空回りを防止するようになっている。なお、この押止部材１６は、図５に示すように、左右の支持部材９ａ，９ｂを閉じて、それらに支持された回転軸５ａ，５ｂ，７ａ，７ｂに取り付けた歯車６ａ，６ｂ，８ａ，８ｂを互いに噛合させたときに、上記の押し棒１５に押されて歯車６ａ，８ａから離れ、それら歯車６ａ，８ａの回転を邪魔しないようになる。
【００１６】
【発明の効果】
本発明の屋根板の立ちハゼ継ぎ部の切断機は、上記のように、立ちハゼ継ぎ部を両側から挟む左右一対の駆動ローラとカッターを開いたときに、それらの回転軸に取り付けた歯車を押え止めして空回りを防ぐことができるので、駆動ローラとカッターを再び閉じたときに歯車がスムースに噛合して、歯の位置を調整しなければならぬという面倒がなく、即座に切断作業を実施することができる。
【図面の簡単な説明】
【図１】側面図である。
【図２】正面図である。
【図３】平面図である。
【図４】左右の支持部材を開いたときの歯車機構の平面図である。
【図５】左右の支持部材を閉じたときの歯車機構の平面図である。
【図６】屋根板の立ちハゼ継ぎ部を左右の駆動ローラが挟んだ状態の一部正面図である。
【符号の説明】
１  切断機本体
２ａ，２ｂ，２ｃ，２ｄ  キャスタ
３ａ，３ｂ  駆動ローラ
４ａ，４ｂ  カッター
５ａ，５ｂ  回転軸
６ａ，６ｂ  歯車
７ａ，７ｂ  回転軸
８ａ，８ｂ  歯車
９ａ，９ｂ  支持部材
１０  駆動歯車
１１  回転軸
１２  操作レバー
１３  リンク機構
１４  軸
１５  押し棒
１６  押止部材
１７  バネ
１８  コード
２０ａ，２０ｂ  屋根板
２１  立ちハゼ継ぎ部
【図１】
0004434409.tif 000002
【図２】
0004434409.tif 000003
【図３】
0004434409.tif 000004
【図４】
0004434409.tif 000005
【図５】
0004434409.tif 000006
【図６】
0004434409.tif 000007